(57)【特許請求の範囲】
【請求項１】
クッション本体およびクッションフレームからなるシートクッションと、
前記クッションフレームの前部から下方に延設されたヒンジアームと、
前記シートクッションが前方に引き起こし可能となるように、前記ヒンジアームの下端が枢支され、かつ、前記シートクッションの着座位置にて前記クッションフレームが支承される支持フレームと、
前記支持フレームの後部に立設された一対のブラケットと、前記シートクッションの着座位置で前記一対のブラケットに係合すべく前記クッションフレームの後部下面に穿設された一対の係合孔とからなる水平位置規制手段と、
前記一対のブラケット間に渡設されたストライカと、前記シートクッションの着座位置で前記ストライカに係脱可能に係合すべく前記クッションフレームの後部下面に進退可能に設けられたラッチとからなるロック機構と、
を備えた車両用シートにおいて、
前記一対のブラケットの車両前後方向後側の縁部を切欠して下向きの係止面を有するフックが形成され、前記係止面は、前記シートクッションの着座位置で前記一対の係合孔が前記一対のブラケットに係合した状態で、前記一対の係合孔の周縁部より高位置にあり、かつ、前記係止面の下側に前記周縁部の厚みより大きい間隙が画成されていることを特徴とする車両用シートの離脱防止構造。
【請求項２】
前記係止面の下側に、前記一対のブラケットの立設方向に対して車両前方側に傾斜した傾斜縁部を有することを特徴とする請求項１記載の車両用シートの離脱防止構造。
【請求項３】
前記一対のブラケットは、車両前後方向に配向されたプレート状本体の周縁部に車幅方向に突設されたフランジを有し、前記フックの前記係止面は、前記フランジを切欠して車両前方側に湾入するＵ字状切欠部の上縁として形成されていることを特徴とする請求項２記載の車両用シートの離脱防止構造。
【請求項４】
前記支持フレームは、両側部に配設される一対のサイドフレームと、それらを相互に剛結合する前部および後部クロスフレームとから四角形の枠状に形成され、前記一対のブラケットは、前記プレート状本体を円弧状に切欠した接合縁部にて、丸パイプ製の後部クロスフレームの後側に溶接固定されており、前記一対のブラケットの下端部は、前記後部クロスフレームの下端部まで延びていることを特徴とする請求項３記載の車両用シートの離脱防止構造。
【発明の詳細な説明】
【技術分野】
【０００１】
本発明は、車両用シートの離脱防止構造に関し、さらに詳しくは、前方に引き起こし可能なシートクッションを備えた車両において、車両に過大な外力が作用した場合におけるシートクッションの不意の離脱および跳ね上がりを防止するための構造に係わるものである。
【背景技術】
【０００２】
従来、車両用シートにおいて、シートクッションが前下部にて支持フレームに回動可能に枢支され、シートクッションを着座位置から前方に引き起こし可能とすることで、シートクッションの下側空間を物品収納スペースや可搬式収納容器の設置スペースなどに利用することが行われている（例えば、特許文献１参照）。
【０００３】
このような車両用シートは、着座位置ではシートクッションの後部下面に設けられたラッチと、支持フレームに固着されたストライカとからなるロック機構によって、シートクッションが着座位置にロックされる。ラッチは、ラッチケースに進退可能に収容されかつ突出方向に付勢されることでストライカに係合可能である一方、ラッチを付勢力に抗して引くことでロックが解除され、シートクッションが引き起こし可能となる。
【０００４】
さらに、このような車両用シートは、上記ロック機構に隣接して支持フレームの後部に立設された一対の突起と、それらに係合すべくクッションフレームの後部に穿設された一対の係合孔とからなる位置規制手段を備えている。この位置規制手段により、車両走行時の振動などに伴うシートクッションの車幅方向の動きが規制されるので、ロック機構への入力荷重は低減され、ロック機構自体は小型のものを用いることができる。
【０００５】
上記シートクッションは、引き起こし動作に伴う車幅方向の位置は一定であるため、車幅方向には、上記位置規制手段による位置規制を十分に行うことができるが、車両前後方向に関しては、回動に伴う前後方向への変位を許容できるように、係合孔と突起の間に適度に遊びを持たせる必要がある。特に、シートクッションの枢支点は、クッションフレームから下方に延設されたアームの下端にある場合、シートクッション後部は前上方に引き起こされるので、車両室内上方への突出は小さくなるが、前後方向の変位は顕著になる。
【先行技術文献】
【特許文献】
【０００６】
【特許文献１】特許第４２４１２７８号公報
【０００７】
上記のように構成された車両用シートは、通常の車両走行に伴う振動や乗員の挙動に対する安定性は十分である。しかし、車両の前面衝突等に伴い前方から過大な衝撃荷重が入力された場合、シートクッションに作用する慣性力によって、シートクッションを前方に移動させようとする力が生じ、このような力によって、次のようなメカニズムでロックが外れる可能性が検討されることとなった。
【０００８】
すなわち、シートクッションに作用する慣性力は、ラッチとストライカの係合位置に伝達されるが、クッションフレームに対するラッチ機構の取付け点は、ラッチとストライカの係合位置に対して上方に位置している（オフセットしている）ため、ラッチ機構をその取付け点を中心に傾倒させ、クッションフレームから引き剥がそうとする、および／または、クッションフレームの取付け点を変形させようとするモーメント力が惹起される可能性、このモーメント力によって、クッションフレームの後部が持ち上がり、ラッチが破断する以前にクッションフレーム後部のロックが外れる可能性が検討された。
【０００９】
このような課題は、ラッチ機構やクッションフレームの強度を増すことによって解消できる。しかし、その場合、重量増加となるうえ、ラッチ機構が大型化される分、シートクッション下側の利用可能な空間が減少することにまる。また、通常の車両走行に伴う振動や乗員の挙動に対する安定性の確保に対してオーバースペック（過剰性能）となる部品を非常時のために装備することは、製品バランスや製造コスト面からも好ましくない。
【発明の開示】
【発明が解決しようとする課題】
【００１０】
本発明はこのような実状に鑑みてなされたものであって、その目的は、部品の大型化や重量増加を招くことなく、非常時の過大な荷重入力によるシートクッションのロック解除および跳ね上がりを防止することができる車両用シートの離脱防止構造を提供することにある。
【課題を解決するための手段】
【００１１】
上記課題を解決するために、本発明に係る車両用シートの離脱防止構造は、
クッション本体（２１）およびクッションフレーム（２２）からなるシートクッション（２）と、
前記クッションフレームの前部から下方に延設されたヒンジアーム（２３）と、
前記シートクッションが前方に引き起こし可能となるように、前記ヒンジアームの下端（２３ａ）が枢支され、かつ、前記シートクッションの着座位置にて前記クッションフレーム（２２）が支承される支持フレーム（４）と、
前記支持フレームの後部に立設された一対のブラケット（４７，４７）と、前記シートクッションの着座位置で前記一対のブラケットに係合すべく前記クッションフレームの後部下面に穿設された一対の係合孔（６０，６０）とからなる水平位置規制手段と、
前記一対のブラケット間に渡設されたストライカ（４６）と、前記シートクッションの着座位置で前記ストライカに係脱可能に係合すべく前記クッションフレームの後部下面に進退可能に設けられたラッチ（６４）とからなるロック機構（６）と、
を備えた車両用シートにおいて、
前記一対のブラケットの車両前後方向後側の縁部を切欠して下向きの係止面（４８ａ）を有するフック（４８）が形成され、前記係止面は、前記シートクッションの着座位置で前記一対の係合孔（６０）が前記一対のブラケット（４７）に係合した状態で、前記一対の係合孔の周縁部（６７）より高位置にあり、かつ、前記係止面（４８ａ）の下側に前記周縁部（６７）の厚みより大きい間隙（４８ｃ）が画成されていることを特徴とする。
【発明の効果】
【００１２】
本発明に係る車両用シートの離脱防止構造は、上述の通り構成されているので、以下に記載されるような効果を有する。
（ｉ）クッションフレーム後部の水平位置を規制するブラケットを切欠してフックが形成され、その係止面の下側にクッションフレーム後部の係合孔の周縁部が進入可能な間隙が画成されているので、車両の前面衝突等に伴い前方から過大な衝撃荷重がシートクッションに入力され、慣性力によって前方に移動した場合に、係合孔の周縁部がフックの係止面に係止され、シートクッションのロック解除とそれに伴うシートクッション後部の跳ね上がりを防止できる。
（ｉｉ）フックは、クッションフレーム後部の水平位置を規制するブラケットの設計断面内に形成されているので、ラッチ機構などの部品の大型化や追加は不要であり、部品の大型化や追加に伴う重量増加やコスト増加、シートクッション引き起こし時の操作性の悪化や、シートクッション下側の利用可能空間の減少を招くこともない。
【００１３】
本発明の好適な態様では、前記係止面の下側に、前記一対のブラケットの立設方向に対して車両前方側に傾斜した傾斜縁部（４８ｂ）を有するので、車両の前面衝突等に伴い前方から過大な衝撃荷重がシートクッションに入力され、慣性力によって前方に移動した場合には、係合孔の周縁部が傾斜縁部で案内されることで、フックの係止面に確実に係止され、シートクッションのロック解除とそれに伴うシートクッション後部の跳ね上がりを確実に防止できる。また、係止のために必要な間隙が必要最小限で済み、ブラケットへの加工も最小限で済む利点がある。
【００１４】
本発明の好適な態様では、前記一対のブラケット（４７）は、車両前後方向に配向されたプレート状本体（４７ａ）の周縁部に車幅方向に突設されたフランジ（４７ｂ）を有し、前記フック（４８）の前記係止面（４８ａ）は、前記フランジ（４７ｂ）を切欠して車両前方側に湾入するＵ字状切欠部（４８ｄ）の上縁として形成されているので、フックの係止面がフランジに対する切欠を含むＬ字状に拡大され、フックの係止力を確保する上で有利であるとともに、フランジの先端による係止や、Ｕ字状切欠部内への食い込みによって、係止時の反動による離脱防止も期待できる。
【００１５】
本発明の好適な態様では、前記支持フレーム（４）は、両側部に配設される一対のサイドフレーム（４１，４１）と、それらを相互に剛結合する前部および後部クロスフレーム（４２，４４）とから四角形の枠状に形成され、前記一対のブラケット（４７）は、前記プレート状本体（４７ａ）を円弧状に切欠した接合縁部（４７ｃ）にて、丸パイプ製の後部クロスフレーム（４４）の後側に溶接固定されており、前記一対のブラケットの下端部（４７ｄ）は、前記後部クロスフレーム（４４）の下端部まで延びているので、ブラケットを大型化せずに後部クロスフレームとの溶接長を確保でき、ブラケットと後部クロスフレームの接合部の剛性向上と、それに伴う、シートクッションの離脱防止機能の耐荷重性能を向上する上で有利である。
【図面の簡単な説明】
【００１６】
【図１】（ａ）は、本発明実施形態に係る離脱防止構造を備えた車両用シートを示す斜視図、（ｂ）はその要部拡大図である。
【図２】シートクッションを引き起こした状態を示す斜視図である。
【図３】シートクッションを引き起こした状態を示す側面図である。
【図４】シートクッションの着座位置を示す一部破断した側面図である。
【図５】本発明実施形態に係る離脱防止構造を備えた車両用シートの支持フレームを示す斜視図である。
【図６】シートクッションの後部を示す底面図である。
【図７】本発明実施形態に係る離脱防止構造を備えた車両用シートを示す断面図（図６のＡ−Ａ断面図）である。
【図８】（ａ）は、本発明実施形態に係る離脱防止構造を備えた車両用シートのロック解除および引起し操作を示す断面図（図６のＢ−Ｂ断面図）、（ｂ）は、同シートに前方からの過大な外力に伴う慣性力が作用した場合の挙動を示す断面図（図６のＢ−Ｂ断面図）である。
【発明を実施するための形態】
【００１７】
以下、本発明の実施の形態について図面を参照しながら詳細に説明する。
図１〜図４において、車両用シート１は、シートクッション２とシートバック３を備えている。シートバック３は、ウレタンフォームなどの発泡成形品の表面を表皮材で被覆してなるシートバック本体３１と、金属製のシートバックフレーム３２とを備え、シートバックフレーム３２にはスプリングが張設されている。シートバック３は、シートバックフレーム３２の下端部において、リクライニング機構を備えたヒンジ部３３を介して、支持フレーム４の後部に取付けられ、前方に倒伏可能かつ後方に傾倒可能である。
【００１８】
シートクッション２は、ウレタンフォームなどの発泡成形品の表面を表皮材で被覆してなるクッション本体２１と、金属板をプレス成形してなるクッションフレーム２２とを備えている。クッションフレーム２２は、クッション本体２１の下部を収容して下方から支持できるように浅底のバット状に形成されている。クッションフレーム２２の底部２０は深さが一様ではなく、後部に向うに従って深く形成され、同様の傾斜を有するクッション本体２１によって利用者が安定的に着座できるように設計されている。
【００１９】
クッションフレーム２２の前部から下方に左右一対のヒンジアーム２３が延設されている。ヒンジアーム２３は、図５に示すように、上端部に穿設されたボルト孔２３ｂにおいて、クッションフレーム２２の前部底面に図示しないボルトで固定され、下端部において回動軸となるボルト２３ａで支持フレーム４（サイドフレーム４１）に回動可能に枢支されており、図１および図３に二点鎖線で示される着座位置から、図２および図３に実線で示されるように前方に引き起こし可能となっている。
【００２０】
支持フレーム４は、シートクッション２の両側部の下側に配置される左右一対のサイドフレーム４１，４１とそれらを剛結合する前部クロスフレーム４２、２本の後部クロスフレーム４３，４４から、平面視において四角形をなす枠状に形成され、その中央には、後述する収納容器７の収容スペース４０が画成されている。左右のサイドフレーム４１は、金属板を用いたプレス成形品からなり、３本のクロスフレーム４２，４３，４４は、軽量かつ高強度の金属製丸パイプからなる。
【００２１】
左右のサイドフレーム４１，４１の下部には、左右一対のスライドレール５，５を構成するアッパーレール５１，５１が固定され、アッパーレール５１，５１を摺動可能に支持するロアレール５２，５２が、不図示の車体フロアに固定されている。ロアレール５２には位置固定用のラックが設けられ、このラックに係脱可能なスライドロック機構（不図示）がアッパーレール５１側に設けられ、バー４５でスライドロック機構の解除操作を行うことにより、シート１はスライドレール５上の任意の位置で固定可能となっている。
【００２２】
収納容器７は、図２〜図４に示されるように、四角形のバケット状をなし、樹脂成型品で構成され、上縁開口部の周囲にはフランジが一体に成形されており、内側に折り畳み式のハンドル７１を備えている。収納容器７は、前方および後方に延出したフランジを、支持フレーム４の前部クロスフレーム４２および後部クロスフレーム４４に載置することで、支持フレーム４に支持され、シートクッション２の下側の収容スペース４０に収容されており、シートクッション２を前方に引き起こすことで、図２および図３に示すように、収納容器７にアクセス可能となり、かつ、図３に二点鎖線（７′）で示されるように、外部に取出し可能となる。なお、他の縁部に比べて低位置にある後側のフランジの中央には、後述する水平位置規制手段（４７，６０）およびロック機構（６、４６）を避ける切欠７０が設けられている。
【００２３】
シートクッション２の後部は、着座位置において、水平位置規制手段（４７，６０）により車幅方向の位置が規制された状態で、支持フレーム４の後部クロスフレーム４４上に支持され、かつ、ロック機構（６、４６）により着座位置にロックされる。
【００２４】
シートクッション後部の支持構造（２５，４４）としては、図３および図６に示すように、クッションフレーム２２の後部下面には左右２箇所にストッパゴム２５が設けられ、着座位置において、シートクッション後部が、ストッパゴム２５を介して、収納容器７の後側フランジを挟んだ状態で、後部クロスフレーム４４上に載置されることで、収納容器７が固定され、かつ、シートクッション２の後部が支承される。
【００２５】
シートクッション後部の水平位置規制手段（４７，６０）は、図５に示すように、後部クロスフレーム４４の中央寄りに立設された一対のブラケット４７，４７と、図１および図６に示すように、シートクッションの着座位置でブラケット４７，４７に係合すべくクッションフレーム２２の後部下面に穿設された一対の係合孔６０，６０から構成されている。
【００２６】
ブラケット４７は、金属板のプレス成形品からなり、図７に示すように、車両前後方向に配向されたプレート状本体４７ａの周縁部に車幅方向に突設されたフランジ４７ｂを有し、円弧状に切欠した接合縁部４７ｃにて後部クロスフレーム４４の後側に溶接固定されており、下端部４７ｄは、後部クロスフレーム４４の下端に達している。
【００２７】
係合孔６０，６０は、図１（ｂ）および図６に示すように、ブラケット４７の断面形状に対応して、車幅方向に延びる長孔形状またはスリット状をなしており、後述するラッチ機構６のベースプレート６２を上下に貫通して穿設され、係合孔６０，６０の周縁部には突縁６７が形成されている。ベースプレート６２は、クッションフレーム２２の後部中央に下面側から凹設された取付け面２４にネジ６８，６８で取り付けられ、突縁６７は、取付け面２４に設けた開口２７を貫通している。
【００２８】
シートクッション後部のロック機構（６、４６）は、図５に示すように、上述した一対のブラケット４７，４７間に渡設されたストライカ４６と、シートクッションの着座位置でストライカ４６に係脱可能に係合するラッチ６４を備えたラッチ機構６から構成されている。
【００２９】
ラッチ機構６は、図６および図７に示すように、ベースプレート６２と一体に形成されているラッチケース６１に進退可能に収容され、先端に傾斜面（カム面）を有するラッチ６４と、ラッチケース６１の内部に、ラッチ６４の進退方向に延設され、先端がラッチ６４を貫通しているリテーナ６３と、リテーナ６３に支持されかつラッチケース６１の奥面とラッチ６４の背面との間に介装され、ラッチ６４を突出方向に付勢するスプリング６５と、ラッチ６４の後端に連結された帯状の解除操作部材６６とを備えている。
【００３０】
シートクッション２のロックを解除する場合は、解除操作部材６６を引張してラッチ６４をスプリング６５の付勢力に抗してラッチケース６１内に退没させることで、ストライカ４６から離脱可能となり、シートクッション２が引き起こし可能となる。引き起こされたシートクッション２を着座位置に戻す場合には、ラッチ６４の先端の傾斜面がストライカ４６で案内されることにより、ラッチ６４がスプリング６５の付勢力に抗して退没し、ストライカ４６を通過した後にスプリング６５の付勢により再び突出することにより、ストライカ４６に係合し、シートクッション後部が支持フレーム４にロックされる。
【００３１】
以上のように構成されたラッチ機構６のラッチケース６１、係合孔６０の周縁部６７を含むベースプレート６２、および、リテーナ６３は、樹脂成形品として一体成形され、かつ、ラッチ６４も樹脂成形品で構成されることで軽量化が図られるとともに、周縁部６７やラッチ６４の摺接部分が低摩擦であり、シートクッション２の引き起こしおよび着座位置への復帰動作が静粛化される利点がある。既に述べたように、シートクッション後部の水平位置はブラケット４７で規制され、ラッチ機構６は、シートクッション後部が浮き上がらないように係留するのみであるため、通常の利用には樹脂成形品であっても十分な安定性が得られる
【００３２】
その反面、車両の前面衝突等に伴い、前方から過大な衝撃荷重が入力された場合、シートクッション２に作用する慣性力によって、シートクッション２を前方に移動させようとする力が生じると、ラッチ機構６をその取付け点（６８）を中心に、図７中反時計回りに傾倒させ、クッションフレーム２２から引き剥がそうとするモーメント力が惹起され虞があることも既に述べた。そこで、このような非常時の挙動に対備するために、本発明に係る車両用シートは、以下に述べるような離脱防止構造を備えている。
【００３３】
すなわち、図７および図８に示されるように、ブラケット４７の車両前後方向後側の縁部を切欠して下向きの係止面４８ａを有するフック４８が形成されている。このフック４８の係止面４８ａは、ブラケット４７のフランジ４７ｂを切欠して車両前方側に湾入するＵ字状切欠部４８ｄの上縁として略水平に形成され、図８（ａ）に示されるように、切欠部４８ｄの下側に、ブラケット４７の立設方向に対して車両前方側に傾斜した傾斜縁部４８ｂが形成されている。さらに、シートクッション２の着座位置で係合孔６０がブラケット４７に係合した状態で、係止面４８ａは、係合孔６０の周縁部６７より高位置にあり、かつ、係止面４８ａの下側に周縁部６７の厚みより大きい間隙４８ｃが画成されている。
【００３４】
以上のような離脱防止構造を備えた車両用シート１は、前方からの過大な衝撃荷重入力に伴う慣性力により、シートクッション２が前方に移動した場合にも、係合孔６０の周縁部６７がフック４８の係止面４８ａに係止されるので、シートクッション後部の離脱および跳ね上がりが防止される。
【００３５】
その際、係合孔６０の周縁部６７が傾斜縁部４８ｃで案内されることで、フック４８の係止面４８ａに確実に係止され、さらに、係止面４８ａがフランジ４７ｂに対する切欠を含んで平面視においてＬ字状に拡大されている構成により、フック４８の係止力を確保する上で有利であるとともに、フランジの先端による引っ掛けや、Ｕ字状切欠部４８ｄ内への食い込みによって、係止時の反動による離脱防止も期待できる。
【００３６】
また、フック４８は、ブラケット４７の設計断面内に形成されているので、ラッチ機構６の大型化や部品の追加は不要であり、それに伴う重量増加やコスト増加、シートクッション引き起こし時の操作性の悪化や、シートクッション下側の利用可能空間の減少を招くこともない。
【００３７】
以上、本発明の一実施形態について述べたが、本発明は上記実施形態に限定されるものではなく、本発明の技術的思想に基づいて各種の変形および変更が可能である。
【符号の説明】
【００３８】
１  車両用シート
２  シートクッション
３  シートバック
４  支持フレーム
５  スライドレール
６  ラッチ機構（ロック機構）
７  収納容器
２１  クッション本体
２２  クッションフレーム
２３  ヒンジアーム
２４  取付け面
２５  ストッパゴム
２７  開口
４１  サイドフレーム
４２  前部クロスフレーム
４３，４４  後部クロスフレーム
４６  ストライカ（ロック機構）
４７  ブラケット（水平位置規制手段）
４７ａ  プレート状本体
４７ｂ  フランジ
４７ｃ  接合縁部
４８  フック
４８ａ  係止面
４８ｂ  傾斜縁部
４８ｃ  間隙
４８ｄ  Ｕ字状切欠部
６０  係合孔（水平位置規制手段）
６１  ラッチケース
６２  ベースプレート
６３  リテーナ
６４  ラッチ
６５  スプリング
６６  解除操作部材
【図１】
0006544636.tif 000002
【図２】
0006544636.tif 000003
【図３】
0006544636.tif 000004
【図４】
0006544636.tif 000005
【図５】
0006544636.tif 000006
【図６】
0006544636.tif 000007
【図７】
0006544636.tif 000008
【図８】
0006544636.tif 000009